(57)【要約】【課題】手摺の互いに隣接する縦格子状の保護柵の縦格子相互の隙間を植栽によって外観上体裁の良い状態となるように目隠し可能にする。【解決手段】植裁可能で、手摺Ｐの縦格子Ｆ間に幅員を圧縮させて強制的に挿入配置する栽培容器本体１を形成する。この栽培容器本体１は、手摺Ｐの下弦材Ｓを跨ぐようにして載架可能とすべく栽培容器本体１の底面をアーチ状に窪んで形成した二股状の脚部２と、縦格子Ｆ間に挟み込んだ栽培容器本体１の上側開口縁部を当該縦格子Ｆに締結固定すべく左右の上側開口縁部に結束部材１６を巻装可能とした締結固定用突起部１１とを備える。脚部２間の底面窪み箇所には水抜き孔３を形成し、締結固定用突起部１１は、栽培容器本体１の上側開口縁部から立脚した左右一対の起立片１２それぞれの上端から開口側を互いに内側に向けて相対峙するように形成したコ字形枠状のフック部１３によって形成する。【選択図】          図２
2004248615.tif 000002
【特許請求の範囲】
【請求項１】
縦格子状の保護柵を備えた手摺の各縦格子間の隙間が目隠し状態となって植裁が施されるよう縦格子間に圧縮挟持される可撓性部材から成る栽培容器本体と、保護柵下側を横架状に連結させた下弦材を跨るようにして載架可能とすべく栽培容器本体の底面をアーチ状に窪ませて形成した二股状の脚部と、保護柵の各縦格子間に挟まれている栽培容器本体の上側開口縁部を当該縦格子に締結固定すべく左右の上側開口縁部に結束部材を巻装可能とした締結固定用突起部とを備えて成ることを特徴とする縦格子手摺用植栽装置。
【請求項２】
栽培容器本体の脚部間の底面窪み箇所には、栽培容器本体内部の水を排出させる水抜き孔が形成されて成る請求項１記載の縦格子手摺用植栽装置。
【請求項３】
締結固定用突起部は、栽培容器本体の上側開口縁部から立脚した左右一対の起立片それぞれの上端から開口側を互いに内側に向けて相対峙するように形成したコ字形枠状のフック部によって形成されている請求項１または２記載の縦格子手摺用植栽装置。
【請求項４】
互いに隣接し合う二つの栽培容器本体の上側開口縁部相互の内側接合位置における締結固定用突起部同士、および外側離反位置における締結固定用突起部同士をそれぞれ一体連結することにより栽培容器本体を二連に形成して成る請求項１乃至３のいずれか記載の縦格子手摺用植栽装置。
【請求項５】
栽培容器本体の脚部に、縦格子に支持可能にした補助脚を左右で対称的に連結してある請求項１乃至４のいずれかに記載の縦格子手摺用植栽装置。
【請求項６】
栽培容器本体の脚部に、この脚部に嵌り込む枠状の連結枠部に縦格子に支持可能にした補助脚を左右で対称的に連結して成る連結脚体を着脱自在に連結するようにしてある請求項１乃至４のいずれか記載の縦格子手摺用植栽装置。
【発明の詳細な説明】
【０００１】
【発明の属する技術分野】
本発明は、テラス、ベランダ、バルコニー、屋上、階段等の縦格子状に立脚した保護柵を備えた手摺の各縦格子間の隙間を目隠し状態となるよう植裁物を配置するために使用される縦格子手摺用植栽装置に関するものである。
【０００２】
【従来の技術】
従来、テラス、ベランダ、バルコニー、屋上、階段等の縦格子状に立脚した保護柵を備えた手摺の各縦格子間の隙間を目隠し状態にするためには、手摺の保護柵を立設してある堰壁の内側に、植木鉢やプランター等の栽培容器を隣接配置したり、手摺自体に目隠し用の簾を掛架させたり等していた。
【０００３】
【発明が解決しようとする課題】
しかしながらこのような従来の目隠し方法において、手摺の保護柵を立設してある堰壁の内側において当該保護柵に沿った状態で植木鉢やプランター等の栽培容器を隣接配置させた場合では、テラス、ベランダ、バルコニー、屋上、階段等のスペースが栽培容器によって狭くなってしまう。また手摺自体に目隠し用の簾を掛架させた場合では、当該簾によって堰壁の内側が日陰の状態となるために栽培容器が置けないばかりでなく、外観上からしても非常に不体裁なものとなるという問題点を有していた。
【０００４】
そこで本発明は叙上のような従来存した諸事情に鑑み創出されたもので、例えばテラス、ベランダ、バルコニー、屋上、階段等における縦格子状の保護柵を備えた手摺の互いに隣接する縦格子相互の隙間を、テラス、ベランダ、バルコニー、屋上、階段等自体のスペースを狭くせず、しかも外観上からも体裁の良い状態となるように植栽でもって容易に目隠し状態にすることができるようにした縦格子手摺用植栽装置を提供することを目的とする。
【０００５】
【課題を解決するための手段】
上述した課題を解決するため、本発明にあっては、縦格子状の保護柵Ｑを備えた手摺Ｐの各縦格子Ｆ間の隙間が目隠し状態となって植裁が施されるよう縦格子Ｆ間に、幅方向で圧縮挟持される可撓性部材から成る栽培容器本体１と、保護柵Ｑ下側を横架状に連結させた下弦材Ｓを跨るようにして載架可能とすべく栽培容器本体１の底面をアーチ状に窪ませて形成した二股状の脚部２と、保護柵Ｑの各縦格子Ｆ間に挟まれている栽培容器本体１の上側開口縁部を当該縦格子Ｆに締結固定すべく左右の上側開口縁部に結束部材１４を巻装可能とした締結固定用突起部１１とを備えて成るものである。
栽培容器本体１の脚部２間の底面窪み箇所には、栽培容器本体１内部の水を排出させる水抜き孔３が形成されて成るものとできる。
締結固定用突起部１１は、栽培容器本体１の上側開口縁部から立脚した左右一対の起立片１２それぞれの上端から開口側を互いに内側に向けて相対峙するように形成したコ字形枠状のフック部１３によって形成されているものとできる。
互いに隣接し合う二つの栽培容器本体１の上側開口縁部相互の内側接合位置における締結固定用突起部１１同士、および外側離反位置における締結固定用突起部１１同士をそれぞれ一体連結することにより栽培容器本体１を二連に形成して成るものとできる。
栽培容器本体１の脚部２に、縦格子Ｆに例えば縛結することで支持可能にした補助脚３１を左右で対称的に連結することができ、更には、同様に栽培容器本体１の脚部２に、この脚部２に嵌り込む枠状の連結枠部３３に補助脚３１を左右で対称的に形成して成る連結脚体３０を着脱自在に連結することができる。
【０００６】
以上のように構成された本発明に係る縦格子手摺用植栽装置において、可撓性部材から成る栽培容器本体１は、上側開口縁部を略楕円形に圧潰しながら手摺Ｐの保護柵Ｑの縦格子Ｆ相互間に挟み込まれ、栽培容器本体１底面の二股状の脚部２を保護柵Ｑ下側の下弦材Ｓに跨がせるようにして載架させることで、栽培容器本体１自体が手摺Ｐの縦格子ＦのピッチＬ間隔に合わせて配置させられる。この栽培容器本体１内に、例えば灌木類、ツタ類、ゴールドクレスト類等を植栽することにより、手摺Ｐの各縦格子Ｆ間の隙間を外観上、体裁の良い状態となるようにして目隠し状態にさせる。
栽培容器本体１の脚部２間の底面窪み箇所に形成した水抜き孔３は、栽培容器本体１内に注いだ水を外部に排水させる。
栽培容器本体１の上側開口縁部における起立片１２、フック部１３それぞれによって形成されている締結固定用突起部１１は、縦格子Ｆを介して互いに隣接し合う状態でしかもフック部１３のコ字形開口側が互いに外側に向けられるようにして配置され、両フック部１３に対し保護柵Ｑと共に結束部材１４を巻装させることにより、互いに隣接し合う栽培容器本体１の上側開口縁部同士を保護柵Ｑに固定させる。
二連に形成した栽培容器本体１は、上側開口縁部相互の内側接合位置における締結固定用突起部１１相互間で縦格子Ｆを挟持させて両フック部１３に対し縦格子Ｆと共に結束部材１４を巻装させると共に、上側開口縁部相互の外側離反位置における締結固定用突起部１１位のフック部１３それぞれを縦格子Ｆと共に結束部材１４を巻装させることにより二連形成の栽培容器本体１を保護柵Ｑに固定させる。
栽培容器本体１の脚部２に設けられる補助脚３１は、縦格子Ｆのいずれの部位にも縦格子Ｆと補助脚３１とを例えば縛結することで支持でき、保護柵Ｑの任意の位置に栽培容器本体１を固定配置させ、栽培容器本体１とは別体構造の連結脚体３０は脚部２に嵌め合わせることで栽培容器本体１を保護柵Ｑに対する任位置固定支持構造のものとして実現させる。
【０００７】
【発明の実施の形態】
以下図面を参照して本発明の実施の形態を説明すると、図１乃至図６において示される第１の実施の形態における符号１は、可撓性部材から成る栽培容器本体であり、例えばテラス、ベランダ、バルコニー、屋上、階段等の堰壁上に例えば１２０ｍｍ以下のピッチＬ間隔で複数の縦格子Ｆが隣接して成る保護柵Ｑを備えた手摺Ｐの各縦格子Ｆ間の隙間を目隠し状態となるよう植物を配置するためのものである。
【０００８】
尚、具体的な手摺Ｐの構成としては、図１に示すように、堰壁上において対向配置された支柱Ｒの上端部にわたって連設横架された手摺笠部Ｔと、支柱Ｒ下端部に横架された下弦材Ｓとの間に、複数の縦格子Ｆ部材が所定のピッチＬ間隔で隣接配置して成る保護柵Ｑが形成され、保護柵Ｑの各縦格子Ｆ部材の上下端部が手摺笠部Ｔと下弦材Ｓとにそれぞれ連結されている。このような手摺Ｐは、図１０に示すような例えばテラス、ベランダ等の堰壁上において外側に湾曲したアール型手摺であったり、図１１に示すような階段の片側もしくは両側に設置した階段手摺であったりしても良く、これらのような手摺に対しても栽培容器本体１は自由に着脱できるものとしてある。
【０００９】
図１、図６に示すように、栽培容器本体１は例えば軟質合成樹脂材等の可撓性部材から例えば上側開口縁部から底部にかけて次第に窄まった全体が略椀型形状を呈するように形成されており、しかも縦格子Ｆ間のピッチＬ間隔よりも大きな直径を有する円形の上側開口縁部を幅方向に沿う左右側から手指で押さえ付けて略楕円形に圧潰させて強制的に保護柵Ｑの縦格子Ｆ相互間に挿入配置されるようにしてある。この上側開口縁部は、左右側から圧潰力を加えないときには、縦格子Ｆ間の間隔よりも大きな直径を有するものとして予め形成されており、縦格子Ｆ間の間隔ピッチＬが種々に相違してもそれらに対応して圧縮されることで強制的にでも挿入できるようにしてあり、その圧縮力を加えない場合には原形の平面円形状に復帰できる弾性復元力を有している。
【００１０】
また、図４、図５に示すように、栽培容器本体１の底面には、略アーチ状の窪み部４によって形成した二股状の脚部２が形成されており、この脚部２の二股間を保護柵Ｑ下側の下弦材Ｓに跨がせるようにして載架できるようにしてある。このとき底面の二股状の脚部２相互間の窪み部４を形成する左右のテーパー状の広がりを大きくすることで、幅員の大きな下弦材Ｓでも十分に対応できるようにしてあり、例えば断面が略丸形または断面が略矩形等の下弦材Ｓであっても栽培容器本体１自体を転倒させずに下弦材Ｓに載架配置できるようにしてある。
【００１１】
また、図４に示すように、栽培容器本体１の脚部２間の窪み部４箇所には単数もしくは複数の水抜き孔３が形成されていて、栽培容器本体１内に注いだ水をスムーズに外部に排水させることができるようにしてある。
【００１２】
図４に示すように、栽培容器本体１の上側開口縁部の左右対称位置には、保護柵Ｑの各縦格子Ｆ間に挟まれている上側開口縁部を当該縦格子Ｆに締結固定すべく左右の上側開口縁部に結束部材１４を巻装可能とした締結固定用突起部１１を形成してある。すなわちこの締結固定用突起部１１は、栽培容器本体１の上側開口縁部から薄板片状に立脚した左右一対の起立片１２と、起立片１２それぞれの上端からコ字形開口側を互いに内側に向けて相対峙するように形成したコ字形枠状のフック部１３によって形成されている。
【００１３】
尚、このフック部１３のコ字形背面である外側面中央には、結束部材１４、装飾用の結束用ツル材１６を挿通して外方へ突出させるための挿通孔１５を穿設してある。また、両フック部１３に対し保護柵Ｑの縦格子Ｆと共に結束部材１４を巻装させる替わりに、例えば針金を芯材とすると共に模擬葉材を連結することでツル状に成形して成る合成樹脂材製の結束用ツル材１６を両フック部１３に対し縦格子Ｆと共に巻装させ、挿通孔１５の内側から結束用ツル材１６の先端側を挿通して外方へ突出させるようにしても良い（図７参照）。このように模擬的なツル状を呈する結束用ツル材１６を使用することで縛結使用時の外観を一層自然に近い状態として体裁の良いものとすることができる。
【００１４】
次に以上のように構成された実施の形態についての使用方法の一例を説明するに、図６に示すように、可撓性部材から成る栽培容器本体１の上側開口縁部の左右側から手指で押さえ付けて略楕円形に圧潰しながら手摺Ｐの保護柵Ｑを形成する縦格子Ｆ相互間に強制的に挿入配置させ、同時に図２に示すように、栽培容器本体１底面の二股状の脚部２を保護柵Ｑ下側の下弦材Ｓに跨がせるようにして載架する。
【００１５】
そして、図３に示すように、栽培容器本体１の締結固定用突起部１１を、縦格子Ｆを介して互いに隣接し合う状態でしかもフック部１３のコ字形開口側が互いに外側に向けられるようにして配置し、両フック部１３に対し縦格子Ｆと共に結束部材１４を巻装することにより、互いに隣接し合う栽培容器本体１の上側開口縁部同士を保護柵Ｑにしっかりと固定する。
【００１６】
このようにして複数の栽培容器本体１を縦格子ＦのピッチＬ間隔に合わせて整然とした状態で配置する。そして、この栽培容器本体１内に例えば細長く植立するような灌木類、ツタ類、ゴールドクレスト類等を植栽することにより、保護柵Ｑの各縦格子Ｆ間の隙間を外観上、体裁の良い状態となるようにして目隠し状態にする。
【００１７】
また、栽培容器本体１は、図１０に示すように、テラス、ベランダ等の堰壁上において外側に湾曲したアール型手摺に使用したり、図１１に示すように、階段の片側もしくは両側に設置した階段手摺に使用したりすることもできる。
【００１８】
図７、図８には本発明に係る第２の実施の形態が示されており、第１の実施の形態における構成と略同じ部分には同じ符号を付してあることでその詳細な説明を省略してある。本実施の形態においては、保護柵Ｑを形成する縦格子Ｆを介して互いに隣接し合う栽培容器本体１の上側開口縁部相互の内側接合位置における締結固定用突起部１１同士、および外側離反位置における締結固定用突起部１１同士をそれぞれ一体に連設形成することにより栽培容器本体１を二連容器状に形成してある。
【００１９】
すなわち二連容器状の栽培容器本体１は、図７に示すように、例えば正面側から見て中央部分が内側に窪まって重ね合わさることで、縦格子Ｆのピッチ間隔よりも大きな直径を有する円弧状の小湾曲部２２Ａ，２２Ｂが二連となって形成され、一方、背面側から見て縦格子ＦのピッチＬ間隔の例えば約２倍程度の直径を有する円弧状の大湾曲部２１が形成される。そして、前記したアーチ状の窪み部４によって形成された二股状の脚部２が縦格子Ｆを介して底部の左右対称位置に形成される。このとき二連の小湾曲部２２Ａ，２２Ｂ側は手摺Ｐに対し内側に向けられていたり、あるいは外側に向けられていたりし、それはいずれでも良い。尚、左右対称位置に形成されている二股状の脚部２相互の間隔は縦格子Ｆのピッチ間隔に対応する幅に設定されている。尚、栽培容器本体１は図示のように、二連形成の場合に限らず、三連形成あるいはそれ以上の複連形成にすることも可能である。
【００２０】
図９には本発明に係る第３の実施の形態が示されており、第１の実施の形態における構成と略同じ部分には同じ符号を付してあることでその詳細な説明を省略してある。本実施の形態においては、保護柵Ｑを形成する縦格子Ｆの内外に位置して内部容積が大小あるように２つに分割することで円弧状の大湾曲部２１と、円弧状の小湾曲部２２とを区画形成したものであり、これらの大小湾曲部２１，２２間には縦格子Ｆに当接する平坦面状の当接部を形成してある。尚、大湾曲部２１は縦格子ＦのピッチＬ間隔の例えば約２倍程度の直径を有し、小湾曲部２２は縦格子Ｆのピッチ間隔よりもやや大きな直径を有するものとして形成されるも、これに限定されるものではない。
【００２１】
図１２、図１３には本発明に係る第４の実施の形態が示されており、第１の実施の形態における構成と略同じ部分には同じ符号を付してあることでその詳細な説明を省略してある。本実施の形態においては、栽培容器本体１の脚部２に、縦格子Ｆに縛結可能にした補助脚３１を左右で対称的に連結したものであり、詳しくは図示のように、正面から見て好ましくは縦格子Ｆ相互間のピッチＬ間隔に比しやや大きい間隔で離反させてほぼ円弧状を呈するように形成すると共に、下端部位の内側面に係合部３２を突設したものである。こうすることで図１３に示すように、縦格子Ｆの高さ方向のいずれの部位にも、隣接する縦格子Ｆそれぞれとの間で補助脚３１の係合部３２に係合させた結束部材１４によって縦格子Ｆに縛結することで栽培容器本体１をしっかりと支持できるのであり、栽培容器本体１を上下方向で配置する場合に好適である。
【００２２】
図１４、図１５には本発明に係る第５の実施の形態が示されており、第１の実施の形態における構成と略同じ部分には同じ符号を付してあることでその詳細な説明を省略してある。本実施の形態においては、栽培容器本体１の脚部２に、縦格子Ｆに縛結可能にした連結脚体３０を着脱自在に連結連結したものであり、この連結脚体３０は図示のように、脚部２に嵌り込む枠状の連結枠部３３に、正面から見て好ましくは縦格子Ｆ相互間のピッチＬ間隔に比しやや大きい間隔で離反させてほぼ円弧状を呈するように形成すると共に、下端部位に湾曲状の係合部３２を一体状に連設したものである。こうすることで図１４に示すように、上述した第４の実施の形態におけるものと同様に、縦格子Ｆの高さ方向のいずれの部位にも、隣接する縦格子Ｆそれぞれとの間で補助脚３１の係合部３２に係合させた結束部材１４によって縦格子Ｆに縛結することで栽培容器本体１をしっかりと支持できる。しかも連結脚体３０として栽培容器本体１と別体構造のものとしたので、第１、第２、第３の実施の形態それぞれに示された栽培容器本体１のものに着脱自在に連結使用でき、それらの使用勝手を一層増大させることができる。
【００２３】
【発明の効果】
本発明は以上のように構成されているために、例えばテラス、ベランダ、バルコニー、屋上、階段等における縦格子状の保護柵Ｑを備えた手摺Ｐの互いに隣接する縦格子Ｆ相互の隙間を、テラス、ベランダ、バルコニー、屋上、階段等自体のスペースを狭くせず、しかも外観上からも体裁の良い状態となるように植栽でもって容易に目隠し状態にすることができる。
【００２４】
すなわちこれは本発明が、縦格子Ｆ間に圧縮挟持される可撓性部材から成る栽培容器本体１と、保護柵Ｑ下側を横架状に連結させた下弦材Ｓを跨るようにして載架可能とすべく栽培容器本体１の底面をアーチ状に窪ませて形成した二股状の脚部２と、保護柵Ｑの各縦格子Ｆ間に挟まれている栽培容器本体１の上側開口縁部を当該縦格子Ｆに締結固定すべく左右の上側開口縁部に結束部材１４を巻装可能とした締結固定用突起部１１とを備えて成るからであり、これにより、栽培容器本体１自体が保護柵Ｑの縦格子ＦのピッチＬ間隔に合わせて整然として配置でき、この栽培容器本体１内に、例えば直立状を呈する灌木類、ツタ類、ゴールドクレスト類等を植栽することにより、手摺Ｐの各縦格子Ｆ間の隙間を外観上、体裁の良い状態となるようにして目隠し状態にすることができる。
【００２５】
栽培容器本体１の脚部２間の底面窪み箇所には栽培容器本体１内部の水を排出させる水抜き孔３が形成されて成るので、栽培容器本体１内に注いだ水をスムーズに外部に排水させることができ、これによって、栽培容器本体１自体を保護柵Ｑから外さずに固定された状態のままでの植裁に対する水やりを安心して行うことができる。
【００２６】
締結固定用突起部１１は、栽培容器本体１の上側開口縁部から立脚した左右一対の起立片１２それぞれの上端から開口側を互いに内側に向けて相対峙するように形成したコ字形枠状のフック部１３によって形成されているので、両フック部１３に対し保護柵Ｑの縦格子Ｆと共に結束部材１４を巻装させることにより、互いに隣接し合う栽培容器本体１の上側開口縁部同士を保護柵Ｑにしっかりと固定させることができ、強風や地震等によって栽培容器本体１が手摺Ｐから転落するのを未然に防止することができる。
【００２７】
互いに隣接し合う二つの栽培容器本体１の上側開口縁部相互の内側接合位置における締結固定用突起部１１同士、および外側離反位置における締結固定用突起部１１同士をそれぞれ一体連結することにより栽培容器本体１を二連に形成して成るので、上側開口縁部相互の内側接合位置における締結固定用突起部１１相互間に保護柵Ｑの縦格子Ｆを挟持して両フック部１３に対し縦格子Ｆと共に結束部材１４を巻装させると共に、上側開口縁部相互の外側離反位置における締結固定用突起部１１のフック部１３それぞれを縦格子Ｆと共に結束部材１４を巻装させることで、二連に形成されている栽培容器本体１を保護柵Ｑにしっかりと固定させることができる。しかも栽培容器本体１を二連構成にしてあるため、植裁に要する容器内スペースを大きくすることができ、例えば幅広な灌木等でも容易に栽培できる。
【００２８】
栽培容器本体１の脚部２に、縦格子Ｆに支持可能にした補助脚３１を左右で対称的に連結したり、同様に栽培容器本体１の脚部２に、この脚部２に嵌り込む枠状の連結枠部３３に補助脚３１を左右で対称的に形成して成る連結脚体３０を着脱自在に連結したりしてあることで、縦格子Ｆのいずれの部位にも縦格子Ｆと補助脚３１とを例えば縛結することで支持できるのであり、これによって、保護柵Ｑの下弦材Ｓ上のみならず、保護柵Ｑの全域にわたって種々な配列で栽培容器本体１を支持でき、単なる目隠しにとどまらず、その興趣ある配列形態で植栽を一層楽しむことができる。そればかりでなく、栽培容器本体１とは別体構造の連結脚体３０とすることで、脚部２に嵌め合わせることによって、単独で形成される栽培容器本体１でも、保護柵Ｑに対する任位置固定支持構造のものとして使用でき、しかも栽培容器本体１自体に特別な加工処理は不要であるから、安価に提供できる利点も得られる。
【図面の簡単な説明】
【図１】本発明の第１の実施の形態における使用状態の斜視図である。
【図２】同じく手摺の下弦材に載架させた状態の一部拡大斜視図である。
【図３】同じく手摺の下弦材に載架させた栽培容器本体同士を縦格子に結束固定した状態の一部拡大側面図である。
【図４】同じく栽培容器本体を示すもので、（ａ）は一部切欠正面図、（ｂ）は側面図である。
【図５】同じく栽培容器本体の脚部を示すもので、（ａ）は丸パイプ状の下弦材に脚部が載架された状態の拡大側面図、（ｂ）は矩形パイプ状の下弦材に脚部が載架された状態の拡大側面図である。
【図６】同じく手摺の下弦材に載架させた状態の平面図である。
【図７】本発明の第２の実施の形態における使用状態の斜視図である。
【図８】同じく使用状態の側面図である。
【図９】本発明の第３の実施の形態における使用状態の斜視図である。
【図１０】アール型手摺に使用した例を示す正面図である。
【図１１】階段手摺に使用した例を示す正面図である。
【図１２】本発明の第４の実施の形態における斜視図である。
【図１３】同じくその使用状態の斜視図である。
【図１４】本発明の第５の実施の形態における分解斜視図である。
【図１５】同じくその使用状態の斜視図である。
【符号の説明】
Ｐ…手摺                            Ｑ…保護柵
Ｒ…支柱                            Ｓ…下弦材
Ｔ…手摺笠部                        Ｆ…縦格子
Ｌ…縦格子相互間のピッチ
１…栽培容器本体                    ２…脚部
３…水抜き孔                        ４…窪み部
１１…締結固定用突起部              １２…起立片
１３…フック部                      １４…結束部材
１５…挿通孔                        １６…結束用ツル材
２１…大湾曲部                      ２２，２２Ａ，２２Ｂ…小湾曲部
３０…連結脚体                      ３１…補助脚部
３２…係止部                        ３３…連結枠部
【図１】
2004248615.tif 000003
【図２】
2004248615.tif 000004
【図３】
2004248615.tif 000005
【図４】
2004248615.tif 000006
【図５】
2004248615.tif 000007
【図６】
2004248615.tif 000008
【図７】
2004248615.tif 000009
【図８】
2004248615.tif 000010
【図９】
2004248615.tif 000011
【図１０】
2004248615.tif 000012
【図１１】
2004248615.tif 000013
【図１２】
2004248615.tif 000014
【図１３】
2004248615.tif 000015
【図１４】
2004248615.tif 000016
【図１５】
2004248615.tif 000017